(57)【特許請求の範囲】
【請求項１】
放送番組を受信する第１チューナから出力される第１映像データと、外部装置から供給される第２映像データとを切り換えて表示部に表示する表示装置に上記第２映像データを供給するデータ供給装置であって、
放送番組を受信する第２チューナと、
自装置で動作中のアプリケーションプログラムで発生するイベントを検出するイベント検出手段と、
上記アプリケーションプログラムに関連する映像データを生成する映像データ生成手段と、
上記イベント検出手段が上記イベントを検出したときに、上記第１映像データに換えて上記第２映像データを表示させる切換信号を上記表示装置に送信する切換信号送信手段と、
上記表示装置が上記第１チューナにて受信して上記表示部に表示している放送番組を示す受信番組情報を受信する番組情報受信手段と、
上記第２チューナに上記受信番組情報が示す放送番組を受信させる連携制御手段と、
上記映像データ生成手段が生成する映像データと、上記第２チューナで受信した放送番組の映像データとを含む映像データを、上記第２映像データとして上記表示装置へ送信するデータ送信手段とを備えていることを特徴とするデータ供給装置。
【請求項２】
上記第２チューナが受信している放送番組と同じ放送番組を上記第１チューナに受信させるための受信番組情報と、上記第２映像データに換えて上記第１映像データを上記表示部に表示させるための切換情報とを上記表示装置に送信する切換情報送信手段を備えていることを特徴とする請求項１に記載のデータ供給装置。
【請求項３】
上記第１チューナが受信する放送番組の音声モード及び字幕モードの少なくとも一方を特定するためのモード特定情報を受信し、受信したモード特定情報に基づいて第２チューナが受信する放送番組の音声モード及び字幕モードの少なくとも一方を設定するモード設定手段を備えていることを特徴とする請求項１または２に記載のデータ供給装置。
【請求項４】
上記アプリケーションプログラムは、電子メールソフトのプログラムであり、
上記イベントは、電子メールの受信であり、
上記イベント検出手段は、電子メールの受信を検出し、
上記映像データ生成手段は、上記電子メールソフトのプログラムで受信した電子メールを画像として表示させるための映像データを生成することを特徴とする請求項１から３の何れか１項に記載のデータ供給装置。
【請求項５】
放送番組を受信する第１チューナから出力される第１映像データと、外部装置から供給される第２映像データとを切り換えて表示部に表示する表示装置に上記第２映像データを供給するデータ供給装置のデータ供給方法であって、
上記データ供給装置は、放送番組を受信する第２チューナを備えており、
上記データ供給装置で動作中のアプリケーションプログラムで発生するイベントを検出するイベント検出ステップと、
上記アプリケーションプログラムに関連する映像データを生成する映像データ生成ステップと、
上記イベント検出ステップにて上記イベントを検出したときに、上記第１映像データに換えて上記第２映像データを表示させる切換信号を上記表示装置に送信する切換信号送信ステップと、
上記表示装置が上記第１チューナにて受信して表示している放送番組を示す受信番組情報を受信する番組情報受信ステップと、
上記第２チューナに上記受信番組情報が示す放送番組を受信させる連携制御ステップと、
上記映像データ生成ステップにて生成した映像データと、上記第２チューナで受信した放送番組の映像データとを含む映像データを、上記第２映像データとして上記表示装置へ送信するデータ送信ステップとを含むことを特徴とするデータ供給方法。
【請求項６】
請求項１から４の何れか１項に記載のデータ供給装置と、上記表示装置とを含むデータ表示システム。
【請求項７】
請求項１から４の何れか１項に記載のデータ供給装置を動作させるためのプログラムであって、コンピュータを上記各手段として機能させるためのプログラム。
【発明の詳細な説明】
【技術分野】
【０００１】
本発明は、表示装置が表示するデータを供給するデータ供給装置等に関するものである。
【背景技術】
【０００２】
従来、パーソナルコンピュータ（以下、ＰＣ）は、専用の表示装置を備えているものが一般的であったが、近年ではＰＣの表示装置としてテレビを使用するシステムが普及している。このシステムでは、テレビは、ＰＣからテレビへと送られる各種データを出力することができると共に、テレビの出力モード切り換えを行うことによって、テレビが受信する放送を出力することもできる。このシステムでは、ＰＣの表示装置を別途設ける必要がないので効率がよい。なお、以下では、上記システムにおいてテレビが受信する放送を出力する状態をテレビモードと呼び、テレビがＰＣからテレビへと送られる各種データを出力する状態をＰＣモードと呼ぶ。
【特許文献１】特開２００６‐６７１９８号公報（２００６年３月９日公開）
【特許文献２】特開２００５−２４４８０７号公報（２００５年９月８日公開）
【発明の開示】
【発明が解決しようとする課題】
【０００３】
しかしながら、上記システムでは、テレビモードにおいてＰＣ側でイベントが発生した場合に、ユーザがそのイベントを把握できないという問題がある。例えば、上記システムがテレビモードに設定されている場合に、ＰＣがメールを受信したときには、ユーザはＰＣモードに切り換えなければメールを受信したことさえ認識することができない。そのため、ユーザは、メールの受信を確認するためにＰＣモードに切り換えを行う必要があった。また、テレビモードからＰＣモードへの切り換えを行うことにより、テレビモードで受信していた番組の視聴が途切れてしまうという問題があった。
【０００４】
これについて、図１２に基づいて説明する。図１２（ａ）〜（ｃ）は、ＰＣの表示装置としてテレビを使用する従来のシステムにおいてテレビの出力モードの切り換えを行ったときにテレビに表示される映像の遷移の一例を示す図である。
【０００５】
同図（ａ）は、テレビモードにおいて表示される映像の一例を示している。図示のように、テレビ１０１の表示部１０２には、番組Ａの映像が表示されている。ここで、同図（ａ）の状態（テレビモード）から、メールの受信確認のため、上記システムのユーザがリモコン等の入力装置を用いてＰＣモードへの切り換えを行った場合には、表示部１０２は、ＰＣの表示装置として機能することになる。
【０００６】
ＰＣモードにおいてメールの受信確認をするためには、ユーザはメールソフトを起動させる必要がある。同図（ｂ）は、ＰＣモードにおいてメールソフトを起動させたときに表示部１０２に表示される映像の一例を示している。図示のように、テレビ１０１の表示部１０２には、メールソフトのウインドウが表示されている。
【０００７】
そして、ユーザは、メールを確認した後、テレビモードにて視聴していた番組の続きを視聴するためには、リモコン等の入力装置を用いて再度テレビモードへの切り換えを行う必要がある。同図（ｃ）は、再びテレビモードに設定されたときに表示部１０２に表示される映像の一例を示している。図示のように、表示部１０２には、再び番組Ａの映像が表示されている。
【０００８】
このように、上記従来のシステムでは、テレビモードで出力されていた番組がＰＣモードに切り換えられることによって出力されなくなるので、ユーザはメール受信確認の度に番組の視聴を中断しなければならなかった。
【０００９】
ところで、近年では、地上デジタル放送やワンセグ放送（携帯電話・移動体端末向けの１セグメント部分受信サービス）等のデジタル放送サービスが提供されており、チューナを搭載して放送を受信可能にしたＰＣも普及している。このようなＰＣは、放送を出力しながら、ＰＣの他の機能（例えば、電子メール、インターネット接続、文書作成等）を実行することができる。
【００１０】
ここで、上記従来のシステムにおいても、放送を受信可能なＰＣを用いることができる。この場合には、ＰＣモードにおいても、ＰＣが受信する放送（例えばワンセグ放送）をテレビに出力させることができる。もちろん、上記システムのユーザがテレビ視聴のみを行いたい場合には、テレビの出力の切り換えを行うことにより、テレビが受信する放送をテレビに出力させることもできる。
【００１１】
しかしながら、ＰＣが備えているチューナとテレビが備えているチューナとは別のものなので、ＰＣモードにおいて出力される番組は、テレビモードで出力されていた番組と同じになるとは限らない。したがって、ＰＣにチューナを搭載した場合であっても、メール受信確認等のためにテレビモードからＰＣモードへと切り換えたときには、ユーザの番組の視聴はやはり中断されてしまうおそれがある。
【００１２】
ここで、上記特許文献１では、地上デジタル放送を受信する携帯受信機と固定受信機とからなるシステムが開示されている。具体的には、特許文献１のシステムでは、携帯受信機にてあるテレビ番組を視聴しているときに、所定のボタン操作を行うと、携帯受信機で視聴しているテレビ番組の情報が固定受信機に送られるようになっている。また、特許文献１のシステムでは、固定受信機にてあるテレビ番組を視聴しているときに、所定のボタン操作を行うと、固定受信機で視聴しているテレビ番組の情報が携帯受信機に送られるようになっている。
【００１３】
これにより、特許文献１のシステムでは、簡単な操作にて携帯受信機で視聴しているテレビ番組を固定受信機で視聴することができる。これは、例えば外出中に携帯受信機で視聴していたテレビ番組を自宅等に戻ったときに固定受信機で視聴する場合に便利である。同様に、特許文献１のシステムでは、簡単な操作にて固定受信機で視聴しているテレビ番組を携帯受信機で視聴することができる。これは、例えば固定受信機で視聴していたテレビ番組を外出の際に携帯受信機で視聴する場合に便利である。
【００１４】
しかしながら、上記特許文献１の技術を、テレビをＰＣの表示装置として使用するシステムに適用した場合であっても、ＰＣからテレビへ、あるいはテレビからＰＣへの出力切り換えを行うときに同じ番組を続けて視聴するためには、ユーザがボタン操作を行う必要がある。
【００１５】
また、特許文献１の技術は、そもそもテレビをＰＣの表示装置として使用するシステムに適用することを想定していない。それゆえ、特許文献１には、テレビモードにおいてメールの受信を確認することについては何ら記載されていない。
【００１６】
ここで、上記特許文献２には、テレビの視聴中にメールの受信を確認する技術が開示されている。具体的には、上記特許文献２に記載の操作システムは、テレビ番組の映像を表示するメインディスプレイに加えてサブディスプレイを搭載している。そして、このサブディスプレイにメールの着信を示す情報を表示させることによって、テレビの視聴中におけるメール受信確認を可能にしている。
【００１７】
しかしながら、上記特許文献２の技術は、サブディスプレイを必要とするので、従来の一般的なテレビに適用することはできない。また、サブディスプレイを搭載する場合には、テレビの製造コストが押し上げられるので好ましくない。
【００１８】
以上のように、上記従来のシステムでは、テレビモードではメールの着信等のＰＣ側で発生したイベントを確認することができない。そして、テレビモードからＰＣモードに切り換えを行った場合に、同じ番組を続けて視聴するためには、ユーザが選局操作等を行う必要があり、また選局操作の間には番組の視聴が中断してしまうという問題があった。
【００１９】
本発明は、上記の問題点に鑑みてなされたものであり、その目的は、ユーザがイベントの発生を容易に確認することができると共に、テレビの視聴が中断することのないデータ供給装置等を実現することにある。
【課題を解決するための手段】
【００２０】
本発明に係るデータ供給装置は、上記課題を解決するために、第１チューナで受信された番組のデータを含む第１データ、または第２チューナで受信された番組のデータを含み、上記第１データとは異なる第２データを表示し、上記第１チューナを備えている表示装置に上記第２データを供給するデータ供給装置であって、上記第２チューナと、予め定めたイベントが発生したときに、上記表示装置に、上記第１データの代わりに上記第２データを表示させる切換信号を送信する切換信号送信手段と、上記表示装置が上記第１チューナにて受信して表示していた番組を示す受信番組情報を受信する番組情報受信部と、上記第２チューナに上記受信番組情報が示す番組のデータを受信させる連携制御手段と、上記第２データを上記表示装置へ送信するデータ送信部とを備えていることを特徴としている。
【００２１】
また、本発明に係るデータ供給方法は、上記課題を解決するために、第１チューナで受信された番組のデータを含む第１データ、または第２チューナで受信された番組のデータを含み、上記第１データとは異なる第２データを表示し、上記第１チューナを備えている表示装置に上記第２データを供給するデータ供給装置のデータ供給方法であって、予め定めたイベントが発生したときに、上記表示装置に上記第１データの代わりに上記第２データを表示させる切換信号を送信する切換信号送信ステップと、上記表示装置が上記第１チューナにて受信して表示していた番組を示す受信番組情報を受信する番組情報受信ステップと、上記第２チューナに上記受信番組情報が示す番組のデータを受信させる連携制御ステップと、上記第２データを上記表示装置へ送信するデータ送信ステップとを含むことを特徴としている。
【００２２】
上記の構成によれば、表示装置が第１データを表示している場合に、予め定めたイベントが発生したときに、第１チューナで受信された番組と同じ内容を含む番組が第２チューナによって受信される。そして、第２チューナが受信した番組のデータを含む第２データが表示装置に表示される。
【００２３】
ここで、上記第２データは、第１データと異なるデータである。したがって、表示装置には、上記イベントの発生の前後において、異なる画像（映像）が表示されることになる。ゆえに、上記データ供給装置のユーザは、表示装置の表示が切り換わることによって、上記イベントが発生したことを認識することができる。
【００２４】
また、第２データは、第１チューナで受信された番組と同じ内容を含む番組のデータを含んでいる。したがって、ユーザは、上記イベントの発生の前後において、同じ内容の番組を中断することなく視聴することができる。
【００２５】
なお、上記表示装置としては、一般に広く普及しているテレビ（テレビジョン受信機）を適用することが好ましい。また、上記データ供給装置としては、例えば、多様なデータ処理及びデータ出力が可能なＰＣ（パーソナルコンピュータ）を適用することが好ましい。
【００２６】
また、上記イベントは、データ供給装置で発生するものであれば特に限定されず、データ供給装置の構成に合わせて適宜設定することができる。例えば、データ供給装置が電子メールを受信する機能を備えている場合には、上記イベントを電子メールの受信に設定してもよい。この場合には、データ供給装置が電子メールを受信したときに、表示装置に表示されるデータが第１データから第２データへと切り換わる。これにより、ユーザは、電子メールを受信したことを認識することができる。
【００２７】
また、上記データ供給装置は、上記第２チューナが受信している番組と同じ内容を含む番組のデータを上記第１チューナに受信させると共に、該受信させた番組のデータを第１データとして上記表示装置に表示させるための番組切換情報を上記表示装置に送信する番組切換情報送信手段を備えていることが好ましい。
【００２８】
上記の構成によれば、番組切換情報が表示装置に送信されることによって、表示装置が表示するデータが第２データから第１データへと切り換わる。そして、このときに、切り換え後に表示される番組のデータは、切り換え前と同じ内容を含んでいる。したがって、上記データ供給装置のユーザは、表示装置が表示するデータを第２データから第１データへと切り換える場合であっても、同じ内容を含む番組を引き続き視聴することが可能となる。
【００２９】
また、上記データ供給装置は、上記表示装置から、上記第１チューナが受信する番組の音声モード及び字幕モードの少なくとも一方を特定するためのモード特定情報を受信し、受信したモード特定情報に基づいて第２チューナが受信する番組の音声モード及び字幕モードの少なくとも一方を設定するモード設定手段を備えていることが好ましい。
【００３０】
上記の構成によれば、モード特定情報によって第２チューナが受信する番組の音声モード及び字幕モードの少なくとも一方が設定される。これにより、第２チューナに受信させる番組の音声モード及び字幕モードの少なくとも一方を、第１チューナが受信している番組の音声モード及び字幕モードと一致させることができる。
【００３１】
すなわち、上記の構成によれば、表示装置の出力が第１チューナで受信された番組のデータから、第２チューナで受信された番組のデータへと切り換えられた場合に、出力切り換えの前後において音声モード及び字幕モードの少なくとも一方が同じになる。
【００３２】
したがって、ユーザは、表示装置に表示されるデータが第１チューナで受信された番組のデータを含む第１データから、第２チューナで受信された番組のデータを含む第２データへと切り換えられた場合に、音声モードや字幕モードを再設定する必要がなくなる。
【００３３】
また、上記データ供給装置は、電子メールの受信を検知するメール受信検知手段と、
受信した電子メールを画像として上記表示装置に表示させるためのメールデータを生成するメールデータ生成手段とを備え、上記イベントは、電子メールの受信であり、上記メール受信検知手段が電子メールの受信を検知したときに、メールデータ生成手段に上記受信を検知した電子メールのメールデータを生成させると共に、該生成させたメールデータを第２データとして上記表示装置に送信させるメール表示制御手段を備えていることが好ましい。
【００３４】
上記の構成によれば、表示装置が第１データを表示している場合に、データ供給装置が電子メールを受信すると、表示装置には上記第１データに代えて、データ供給装置が供給する第２データが表示される。
【００３５】
そして、このときに、上記受信したメールを画像として表示するためのメールデータも上記第２データとして表示装置に送信される。さらに、上記第１データに含まれる番組と同じ内容を含む番組が第２チューナによって受信され、これもまた上記第２データとして表示装置に送信される。
【００３６】
したがって、上記の構成によれば、ユーザは、電子メールの受信を表示装置に表示されるデータの切り換わりによって認識することができる。また、メールデータが表示装置に表示されるのでスムーズに受信した電子メールを確認することができる。さらに、表示装置に表示されるデータの切り換わりによって番組の視聴が中断することがない。
【００３７】
また、本発明のデータ表示システムは、上記課題を解決するために、上記データ供給装置と表示装置とを含むことを特徴としている。
【００３８】
上記の構成によれば、データ出力装置にてイベントが発生したときに、表示装置に表示されるデータが切り換わる。したがって、ユーザは、データ出力装置におけるイベント発生を容易に認識することができる。また、ユーザは、表示装置に表示されるデータが第１データから第２データへと切り換わったときに、切り換え前と同じ内容を含む番組を引き続き視聴することができる。
【００３９】
なお、上記データ供給装置は、コンピュータによって実現してもよく、この場合には、コンピュータを上記データ供給装置の各手段として動作させることにより、上記データ供給装置をコンピュータにて実現させるプログラム、及びそれを記録したコンピュータ読み取り可能な記録媒体も本発明の範疇に入る。
【発明の効果】
【００４０】
以上のように、本発明に係るデータ供給装置は、第２チューナと、予め定めたイベントが発生したときに、上記表示装置に、上記第１データの代わりに上記第２データを表示させる切換信号を送信する切換信号送信手段と、上記表示装置が上記第１チューナにて受信して表示していた番組を示す受信番組情報を受信する番組情報受信部と、上記第２チューナに上記受信番組情報が示す番組のデータを受信させる連携制御手段と、上記第２データを上記表示装置へ送信するデータ送信部とを備えているので、ユーザは、データ供給装置で発生したイベントを容易に認識することができると共に、同じ内容を含む番組を途切れることなく引き続き視聴することが可能になるという効果を奏する。
【発明を実施するための最良の形態】
【００４１】
本発明の一実施形態について図１から図９に基づいて説明すると以下の通りである。まず、本実施形態の映像表示システムの概要について図１に基づいて説明する。図１は、映像表示システム１の要部構成を示すブロック図である。図示のように、映像表示システム（データ表示システム）１は、ＰＣ（データ供給装置）１１とテレビ（表示装置）２１とを含む構成である。
【００４２】
ＰＣ１１は、汎用のコンピュータであり、図示のように、主制御部１２、補助記憶部１３、ＰＣ側連携制御部（連携制御手段）１４、ＰＣ側通信Ｉ／Ｆ（番組情報受信部）１５、ワンセグチューナ（第２チューナ）１６、画像出力制御部１７、表示出力Ｉ／Ｆ（データ送信部）１８、及びＰＣイベント検知部（イベント検知手段、メール表示制御手段）１９を備えている。また、図示していないが、ＰＣ１１は例えばマウスやキーボードのような入力装置を備えており、映像表示システム１のユーザは、上記入力装置を用いてＰＣ１１の操作ができるようになっている。
【００４３】
主制御部１２は、ＰＣ１１の機能を統括して制御するものであり、図示のように、中央処理部１２ａ及び主記憶部１２ｂを備えている。主記憶部１２ｂは、図示しないＲＯＭ（Read Only Memory）及びＲＡＭ（Random Access Memory）を備えている。ＲＯＭには、ＰＣ１１が動作する上で最低限必要となるデータ、例えばＢＩＯＳ（basic input output system）のプログラムデータ及びＯＳ（operating system）のプログラムデータ等が記録されている。また、ＲＡＭは、主制御部１２による情報処理が行われる際の作業メモリとして機能する。
【００４４】
すなわち、主制御部１２の機能は、主記憶部１２ｂのＲＡＭを作業メモリとして、中央処理部１２ａがプログラムの実行や演算等を行うことによって実現される。なお、主制御部１２は、図示している以外にも、計時手段（例えば時計）等の中央処理部１２ａがプログラムの実行や演算等を行う際に必要な構成を備えている。
【００４５】
補助記憶部１３は、主記憶部１２ｂの容量を補う等の目的に使用される装置である。補助記憶部１３には、ＰＣ１１が動作するために必要なプログラムやデータ等が記録されている。補助記憶部１３は、プログラムやデータを主制御部１２等のＰＣ１１の各構成要素が読み出し可能に格納できるものであればよい。補助記憶部１３としては、例えばハードディスク等を適用することができる。また、補助記憶部１３は、ＰＣ１１に着脱可能な記録媒体であってもよい。
【００４６】
ＰＣ側連携制御部１４は、ＰＣ側通信Ｉ／Ｆ１５を介してテレビ２１と制御信号の送受信を行うことによって、ＰＣ１１とテレビ２１との出力切り換えの制御を行う切換信号送信手段としての役割を果たす。また、ＰＣ側連携制御部１４は、ワンセグチューナ１６が受信する番組とテレビが受信する番組とを連携させるＰＣ−テレビ連携処理及びテレビ−ＰＣ連携処理を行う。これらの処理の詳細については後述する。
【００４７】
ＰＣ側通信Ｉ／Ｆ１５は、テレビ２１と通信を行うためのインターフェイスである。具体的には、図示のように、ＰＣ側通信Ｉ／Ｆ１５からテレビ２１へとＰＣ１１とテレビ２１とでチャンネルの連携を行うための連携コマンド等が送信される。また、テレビ２１からＰＣ側通信Ｉ／Ｆ１５へと後述するチャンネルコード等が送信される。ここでは、ＰＣ側通信Ｉ／Ｆ１５は、ＨＤＭＩ（High-Definition Multimedia Interface）端子であることを想定している。
【００４８】
なお、ＰＣ１１とテレビ２１との通信方法は特に限定されず、公知の通信方法を適用することができる。例えば、ＲＳ２３２Ｃや、ｉ．Ｌｉｎｋ（登録商標）、Ｂｌｕｅｔｏｏｔｈ（登録商標）、ＺｉｇＢｅｅ（登録商標）、Ｗｉ−Ｆｉ（登録商標）、ＵＷＢ（Ultra Wide Band）、ＩｒＤＡ、などを用いてＰＣ１１とテレビ２１とが通信するようにしてもよく、通信方法に合わせてＰＣ側通信Ｉ／Ｆ１５も適宜変更することが可能である。
【００４９】
ワンセグチューナ１６は、ワンセグ放送を受信するためのチューナである。具体的には、ワンセグチューナ１６は、図示しないアンテナが受信した放送波の中から、ＰＣ側連携制御部１４が指定するチャンネルの電波に復調処理を行って映像データを生成する。そして、ワンセグチューナ１６は、上記生成した映像データを画像出力制御部１７に送る。
【００５０】
なお、ＰＣ１１は、放送を受信するためのチューナを備えていればよく、そのチューナはワンセグチューナ１６に限られない。しかしながら、ＰＣ１１が備えるチューナが出力する映像データは、例えば主制御部１２が実行中のアプリケーションソフトに関連する映像データ等のＰＣ１１が出力するデータと共にＰＣ１１から出力される。したがって、ＰＣ１１及びテレビ２１が映像データの表示に要する処理能力という観点から考えると、ＰＣ１１が備えるチューナが出力する映像データは、データ量が少ない方が好ましい。
【００５１】
そのため、ＰＣ１１は、地上デジタル放送と比べてデータ量が少ないワンセグ放送を受信するワンセグチューナ１６を備えていることが好ましい。また、この観点から、ＰＣ１１が備えるチューナは、携帯受信機向けの放送であるモバイル放送を受信するものであってもよい。さらに、ＰＣ１１が備えるチューナは、ラジオ放送を受信するものであってもよい。この場合には、ラジオ放送の音声等のデータがテレビ２１の図示しないスピーカ等から出力されることになる。
【００５２】
画像出力制御部１７は、ワンセグチューナ１６から受け取った映像データに所定の画像処理を施して表示出力Ｉ／Ｆ１８に送る。具体的には、上記映像データは、所定の方式（例えば、ＭＰＥＧ−２方式や、Ｈ．２６４方式等）で符号化されているので、画像出力制御部１７は、これをデコードして表示出力Ｉ／Ｆ１８に送る。
【００５３】
表示出力Ｉ／Ｆ１８は、画像出力制御部１７から受け取った映像データ等のテレビ２１に出力させるデータをテレビ２１に送信するためのインターフェイスである。以下では、表示出力Ｉ／Ｆ１８からテレビ２１へと送信されるデータをＰＣ出力データと呼ぶ。表示出力Ｉ／Ｆ１８は、映像データをテレビ２１に送信することができるものであれば特に限定されず、ＰＣ側通信Ｉ／Ｆ１５と同様に映像データの送信方法に応じて様々な変形が可能である。また、図１では、説明のため、表示出力Ｉ／Ｆ１８とＰＣ側通信Ｉ／Ｆ１５とを別個のブロックとして記載しているが、表示出力Ｉ／Ｆ１８とＰＣ側通信Ｉ／Ｆ１５とを一体に構成してもよい。
【００５４】
そして、ＰＣイベント検知部１９は、ＰＣ１１において所定のイベントが行われたことを検知する。そして、ＰＣ側連携制御部１４は、ＰＣイベント検知部１９が上記イベントを検知したときにＰＣモードへの切り換えを実行する。なお、上記所定のイベントは、予め定めたＰＣ１１の動作である。本実施形態では、上記所定のイベントがメールの受信である例について説明する。すなわち、ここでは、ＰＣイベント検知部１９は、定期的にメールサーバにアクセスして新着メールの有無を確認する。そして、ＰＣ側連携制御部１４は、ＰＣイベント検知部１９が電子メールの受信を確認したときに、ＰＣモードへの切り換えを実行することを想定している。
【００５５】
なお、所定のイベントは、メールの受信に限られない。例えば、ＰＣ１１に、Ｓｋｙｐｅ（登録商標）や、インスタントメッセージング用のソフトウェアがインストールされている場合や、ＰＣ１１がテレビ電話機能を備えている場合には、Ｓｋｙｐｅやインスタントメッセージ、テレビ電話の着信を上記所定のイベントとしてもよい。また、ユーザが予め指定したホームページが更新されたことや、ユーザが予め指定した電子掲示板やウェブログ（ブログ）に新規に書き込みがあったことを上記所定のイベントとして検知するようにしてもよい。
【００５６】
テレビ２１は、放送波を受信して映像を表示する装置であり、図示のように、テレビ側通信Ｉ／Ｆ２２、ＰＣ入力Ｉ／Ｆ２３、テレビ側連携制御部２４、記憶部２５、デジタルチューナ（第１チューナ）２６、アナログチューナ（第１チューナ）２７、出力切換部２８、画像処理制御部２９、及び表示部３０を備えている。
【００５７】
テレビ側通信Ｉ／Ｆ２２はＰＣ１１と通信を行うためのインターフェイスであり、ＰＣ入力Ｉ／Ｆ２３はＰＣ１１から出力される映像データ等を受け取るインターフェイスである。テレビ側通信Ｉ／Ｆ２２及びＰＣ入力Ｉ／Ｆ２３は、それぞれＰＣ側通信Ｉ／Ｆ１５及び表示出力Ｉ／Ｆ１８と通信可能な構成であればよい。
【００５８】
テレビ側連携制御部２４は、ＰＣ１１とテレビ２１との出力切り換えの制御を行う。また、テレビ側連携制御部２４は、ワンセグチューナ１６が受信する番組とデジタルチューナ２６またはアナログチューナ２７が受信する番組とを連携させるＰＣ−テレビ連携処理及びテレビ−ＰＣ連携処理を行う。これらの処理の詳細については後述する。
【００５９】
記憶部２５は、テレビ２１が動作するために必要なプログラムやデータ等を記憶する装置である。記憶部２５は、プログラムやデータをテレビ側連携制御部２４等のテレビ２１の各構成要素が読み出し可能に格納できるものであればよい。また、記憶部２５には、デジタルチューナ２６またはアナログチューナ２７が受信中の、あるいは最後に受信したチャンネルを示すチャンネル情報を格納するチャンネルメモリが含まれている。
【００６０】
デジタルチューナ２６は、地上デジタル放送を受信するチューナであり、アナログチューナ２７は、地上波アナログ放送を受信するチューナである。以下では、デジタルチューナ２６及びアナログチューナ２７をテレビ側チューナと呼ぶ。また、テレビ側チューナが受信したデータをテレビ受信データと呼ぶ。テレビ側チューナは、図示しないアンテナが受信した放送波の中から、テレビ側連携制御部２４が指定するチャンネルの電波に復調処理を行って映像データを生成する。そして、テレビ側チューナは、上記生成した映像データを出力切換部２８に送る。
【００６１】
なお、本実施形態では、テレビ２１がデジタルチューナ２６とアナログチューナ２７との２つのチューナを備えている例を示しているが、テレビ２１は放送を受信するためのチューナを少なくとも１つ備えていればよい。また、テレビ側チューナは、地上デジタル放送を受信するチューナ及び地上波アナログ放送を受信するチューナに限られない。例えば、テレビ側チューナは、ＢＳチューナやＣＳチューナであってもよい。
【００６２】
出力切換部２８は、表示部３０に出力するデータを切り換えるものである。具体的には、出力切換部２８は、テレビ側連携制御部２４の指示に従って、テレビ側チューナが受信中のテレビ受信データ、またはＰＣ入力Ｉ／Ｆ２３が受信中のＰＣ出力データの何れか一方を画像処理制御部２９に送る。
【００６３】
画像処理制御部２９は、出力切換部２８から受け取った映像データに所定の画像処理を施して表示部３０に出力する。画像処理制御部２９が画像処理を施すことにより、出力切換部２８から受け取った映像データは、表示部３０に表示できる状態となる。
【００６４】
表示部３０は、画像を表示する装置であり、画像処理制御部２９から受け取ったデータに基づいて映像の表示を行う。表示部３０としては、例えばＣＲＴ（Cathode Ray Tube）表示装置、ＬＣ（Liquid Crystal）表示装置、及びＥＬ（Electro Luminescence）表示装置などを適用することができる。
【００６５】
なお、本実施形態では、簡単のため、映像（画像）の出力についてのみ説明するが、音声等のデータについても映像と同様にして出力される。例えば、ＰＣ１１からテレビ２１へと音声データ等のデータが送信された場合に、出力切換部２８がＰＣ１１から受信したデータを出力するように設定されているとき（ＰＣモード）には、上記音声データがテレビ２１の備える図示しないスピーカから出力される。また、出力切換部２８がテレビ受信データを出力するように設定されているとき（テレビモード）には、テレビ受信データに含まれる音声データが上記スピーカから出力される。
【００６６】
〔映像表示処理の流れ〕
映像表示システム１における映像表示処理の流れについて図２に基づいて説明する。図２は、映像表示処理の一例を示すフローチャートである。図示のように、ここではまずＰＣモードに設定されることを想定している（Ｓ１）。なお、ＰＣモードとは、表示部３０にＰＣ１１から送られる映像信号（ＰＣ出力データ）が出力される状態を指す。
【００６７】
ＰＣモードへの設定方法は特に限定されないが、例えば、ＰＣ１１の電源を入れたときにＰＣモードに設定されるようにすればよい。具体的には、ＰＣ１１が起動するとＯＳが起動するので、例えばＰＣ側連携制御部１４が、ＯＳの起動を検知したときにテレビ２１の出力をＰＣ１１に切り換えるように指示するＰＣモード切換信号をＰＣ側通信Ｉ／Ｆ１５を介してテレビ２１に送信するようにすればよい。
【００６８】
ＰＣモードに設定されると（Ｓ２）、表示部３０は、ＰＣ１１の表示装置として機能する。すなわち、ＰＣモードでは、表示部３０にはＰＣ１１の表示出力Ｉ／Ｆ１８から出力されるＰＣ出力データが表示される。具体的には、表示部３０には、ＰＣ側チューナが受信した放送の映像や、ＰＣ１１で実行される様々なアプリケーションプログラムによって生成される映像等がウインドウで表示される。
【００６９】
なお、ＰＣ側連携制御部１４は、ＰＣモードに設定されたときに、出力モードがＰＣモードに設定されたことを示すデータを出力するようにしてもよい。例えば、図３に示すように、「ＰＣモードに設定されました」とのテキストを表示部３０に表示させることにより、出力モードがＰＣモードに設定されたことをユーザに認識させることができる。なお、出力モードがＰＣモードに設定されたことを示すデータは、例えば補助記憶部１３に予め格納しておけばよい。そして、例えばＰＣ側連携制御部１４が、ＰＣモード切換信号の送信時に上記データを読み出して表示出力Ｉ／Ｆ１８からテレビ２１に送信すればよい。
【００７０】
なお、出力モードがＰＣモードに設定されたことを示す情報は、ユーザが出力モードの設定がＰＣモードとなったことを認識できるものであればよく、特に限定されない。例えば、音声等で出力モードがＰＣモードに設定されたことをユーザに認識させるものであってもよい。
【００７１】
ＰＣモードでは、ＰＣ側連携制御部１４がテレビモードへの切り換え指示の有無を確認する（Ｓ３）。なお、テレビモードとは、表示部３０にテレビ受信データが出力される状態を指す。一度ＰＣモードに設定された後、ＰＣ側連携制御部１４がテレビモードへの切り換え指示が行われたことを確認するまでの間は、ＰＣモードが継続する。
【００７２】
テレビモードへの設定方法は特に限定されないが、例えば、表示部３０に表示されているＰＣ側チューナが受信した放送の映像に対してマウス等の入力装置で選択操作が行われた場合に、ＰＣ側連携制御部１４がテレビモードへの切り換え指示があったと判断するようにすればよい。また、例えばテレビモードへの切り換えを行うための予め定めた入力操作が行われた場合（例えば所定の切り換えボタンが押下された場合）にテレビモードへの切り換え指示があったと判断するようにしてもよい。
【００７３】
さらに、ＰＣ側連携制御部１４が、ＰＣ側チューナが受信している番組の内容に基づいてテレビモードに切り換えを行うようにしてもよい。例えば、ＰＣ側連携制御部１４が、ＰＣ側チューナが受信している番組が緊急放送であると判断した場合に、テレビモードに切り換えるようにしてもよい。これにより、緊急放送が表示部３０の全面に表示されることになるので、ユーザは緊急放送を見逃してしまうことがなくなる。
【００７４】
また、一般に、番組の内容が盛り上がるシーン（例えばスポーツ番組の得点シーン等）では、番組の音量が大きくなる。そこで、例えば、ＰＣ側連携制御部１４が、ＰＣ側チューナが受信している番組の音量が所定値を越えた場合にテレビモードに切り換えるようにしてもよい。これにより、ユーザは、番組の内容が盛り上がるシーンをテレビモードでじっくりと視聴することができる。
【００７５】
ここで、ＰＣ側連携制御部１４は、テレビモードへの切り換え指示が行われたことを確認すると（Ｓ３でＹｅｓ）、ＰＣ−テレビ連携処理を行う（Ｓ４）。ＰＣ−テレビ連携処理により、ＰＣモードからテレビモードへの切り換えが行われ、テレビ受信データが表示部３０に出力されるようになる。
【００７６】
ＰＣ−テレビ連携処理の前後において表示部３０に表示される映像の遷移について図４に基づいて説明する。同図（ａ）はＰＣ−テレビ連携処理前に表示部３０に表示される映像の一例を示す図であり、同図（ｂ）はＰＣ−テレビ連携処理後に表示部３０に表示される映像の一例を示す図であり、同図（ｃ）はＰＣ−テレビ連携処理の前後におけるＰＣ１１及びテレビ２１の主な動作を示す図である。
【００７７】
同図（ａ）に示すように、ＰＣ−テレビ連携処理の前、すなわちＰＣモードでは表示部３０には、ウインドウＷａ及びＷｂが表示されている。ウインドウＷａは、ＰＣ１１がプログラムを実行することより表示されるものであり、図示の例ではウェブページが表示されている。また、ウインドウＷｂには、ワンセグチューナ１６が受信したワンセグ放送が表示されている。ここでは、番組Ａのワンセグ放送がワンセグチューナ１６によって受信されていることを想定しており、そのためＰＣモードでは図示のように番組Ａのワンセグ放送がウインドウＷｂに表示される。
【００７８】
このときには、同図（ｃ）に示すように、ＰＣ１１は、ＰＣ画面（ウインドウＷａ）の映像信号を出力すると共に、ワンセグ子画面（ウインドウＷｂ）の映像信号を出力している。そして、テレビ２１は、ＰＣ１１から受信した上記映像信号を出力している。これにより、同図（ａ）に示すような映像が表示部３０に表示されることになる。
【００７９】
ここで、ＰＣ−テレビ連携処理が実行されると、同図（ｂ）に示すように番組Ａの映像が表示部３０に表示される。このときには、同図（ｃ）に示すように、ＰＣ１１は映像信号の出力を行っておらず、テレビ２１はテレビ側チューナ（デジタルチューナ２６またはアナログチューナ２７）が受信した映像信号を出力している。すなわち、同図（ａ）ではＰＣ１１のワンセグチューナ１６で受信した番組Ａが表示されていたのに対し、同図（ｂ）ではテレビ側チューナで受信した番組Ａが表示されている。
【００８０】
このように、映像表示システム１では、ＰＣ−テレビ連携処理を実行することにより、表示部３０に表示される番組がＰＣモードからテレビモードへの切り換えが行われた場合にも変化することがない。したがって、ユーザは、ＰＣモードからテレビモードへの切り換えを行った場合であっても、切り換え前と同じ番組を中断することなく引き続き視聴することができる。
【００８１】
テレビモードに設定されると（Ｓ５）、表示部３０は、テレビ２１の表示装置として機能する。すなわち、この場合には、表示部３０にはテレビ側チューナが出力する映像が表示される。具体的には、表示部３０にはデジタルチューナ２６から出力されるデジタル放送の映像、またはアナログチューナ２７から出力されるアナログ放送の映像等が表示される。テレビモードでは、ユーザは、例えばリモコン等の入力装置を用いてテレビ２１が受信するチャンネルの切り換えを行うことができる。
【００８２】
ここで、テレビモードにおいてチャンネル切り換えを行ったときに表示部３０に表示される映像の遷移について図５に基づいて説明する。同図（ａ）はチャンネル切り換え前に表示部３０に表示される映像の一例を示す図であり、同図（ｂ）はチャンネル切り換え後に表示部３０に表示される映像の一例を示す図であり、同図（ｃ）はチャンネル切り換えの前後におけるＰＣ１１及びテレビ２１の主な動作を示す図である。
【００８３】
同図（ａ）に示すように、チャンネル切り換え前の表示部３０には、番組Ａが表示されている。この番組Ａは、テレビ側チューナが受信した番組である。そして、同図（ｂ）に示すように、チャンネル切り換え後の表示部３０には、番組Ｂが表示されている。すなわち、ここでは、番組Ｂへとチャンネルが切り換えられたことを想定している。
【００８４】
同図（ｃ）に示すように、ＰＣ１１は、チャンネル切り換えの前後を通して映像信号を出力していない。一方、テレビ２１は、チャンネル切り換え前には番組Ａの映像信号を出力しており、チャンネル切り換え後には番組Ｂの映像信号を出力している。これにより、同図（ａ）（ｂ）に示すような映像が表示部３０に表示されることになる。このように、テレビモードにおけるチャンネル切り換えには、ＰＣ１１は関与しておらず、テレビ２１内の処理によって表示部３０に表示される映像が切り換わるようになっている。
【００８５】
ここで、テレビモードにおいても、ＰＣ側連携制御部１４がＰＣモードへの切り換え指示の有無を確認する（Ｓ６）。すなわち、本実施形態の映像表示システム１では、テレビモードからＰＣモードへの切り換え、及びＰＣモードからテレビモードへの切り換えは、何れもＰＣ側連携制御部１４が判断する。ＰＣ側連携制御部１４がＰＣモードへの切り換え指示が行われたことを確認するまでの間は、テレビモードが継続する。
【００８６】
例えばＰＣ側連携制御部１４が、マウスやキーボード等の入力装置に対して所定の入力操作が行われたことを検知した場合に、ＰＣモードへの切り換え指示があったと判断するようにすればよい。このように、ユーザがＰＣ１１の使用に関連する入力操作を行ったときにＰＣモードに設定されるようにすることで、ユーザはスムーズにＰＣモードへの切り換えを行うことができる。また、例えばＰＣ側連携制御部１４は、ＰＣモードへの切り換えを行うための予め定めた入力操作が行われたことを確認した場合（例えばモード切り換えボタンが押下された場合）に、ＰＣモードへの切り換え指示があったと判断するようにしてもよい。
【００８７】
なお、ＰＣモードからテレビモードへの切り換え及びテレビモードからＰＣモードへの切り換えを行うためのモード切り換えボタンは、ＰＣ１１の本体表面や、ＰＣ１１及び／またはテレビ２１を操作するためのリモコン（リモートコントローラ）などに設けておけばよい。
【００８８】
ここで、ＰＣモードへの切り換え指示が無いと判断した場合（Ｓ６でＮｏ）には、ＰＣ側連携制御部１４は、ＰＣイベント検知部１９に新規に受信した電子メール（以下、単にメールと称する）の受信の有無を確認する（Ｓ７）。ＰＣイベント検知部１９は、メールサーバに定期的にアクセスしてメールの受信の有無を確認しているので、ＰＣ側連携制御部１４は、ＰＣイベント検知部１９に確認することでメールの受信の有無を判断することができる。
【００８９】
なお、ＰＣイベント検知部１９は、新着メールの有無の確認ができるものであればよく、上述の例に限られない。例えば、メールサーバがＰＣイベント検知部１９に新規に受信したメールがあることを伝達するようになっていてもよい。また、一般的なメールソフトは、メールの受信の有無を確認する機能を備えているので、ＰＣイベント検知部１９として一般的なメールソフトを適用することもできる。この場合には、ＰＣ１１の起動時にメールソフトを起動させるようにする。これにより、ＰＣ１１の起動中におけるメールの受信をメールソフトによって検知することができる。
【００９０】
ＰＣ側連携制御部１４は、メールの受信を確認できなかった場合（Ｓ７でＮｏ）には、テレビモードが継続する。一方、メールの受信を確認した場合（Ｓ７でＹｅｓ）には、ＰＣ側連携制御部１４は、ＰＣイベント検知部１９に指示してメールソフトを起動させる（Ｓ８）。
【００９１】
なお、Ｓ８にてＰＣイベント検知部１９が起動させるメールソフトとは、受信したメールを画像として表示させるためのメールデータを生成するメールデータ生成手段としての役割を果たすものである。メールソフトによって生成されたメールデータは、ＰＣ側チューナが受信した番組のデータと共にテレビ２１に送られて表示部３０に表示される。すなわち、ＰＣイベント検知部１９は、受信したメールの表示を制御するメール表示制御手段としての役割も果たしている。なお、ここでは、メールソフトのプログラムが補助記憶部１３に格納されており、主制御部１２がこのプログラムを実行することによって、メールソフトが機能することを想定している。
【００９２】
また、上記の例では、ＰＣイベント検知部１９がメールの受信を検知し、Ｓ８で起動させるメールソフトが受信したメールのメールデータを生成する態様を示したが、この例に限られない。例えば、ＰＣイベント検知部１９として、一般的なメールソフトを適用した場合には、メールの受信検知と、メールデータの生成とを同じメールソフトに実行させることができる。
【００９３】
以上のように、映像出力システム１では、ＰＣ側連携制御部１４がメールの受信もＰＣモードへの切り換え指示もないと判断した場合にはテレビモードが継続するようになっている。一方、ＰＣ側連携制御部１４がメールの受信を確認した場合には、メールソフトの起動とＰＣモードへの移行が行われる。そして、ＰＣ側連携制御部１４がＰＣモードへの切り換え指示を確認した場合には、ＰＣモードへの移行が行われるようになっている。
【００９４】
ＰＣ側連携制御部１４は、Ｓ８にてメールソフトの起動指示を出した後、及びＳ６でＰＣモードへの切り換え指示があったと判断した場合には、テレビ−ＰＣ連携処理を行う（Ｓ９）。テレビ−ＰＣ連携処理により、テレビモードからＰＣモードへの切り換えが行われ、ＰＣ１１が出力するデータが表示部３０に出力されるようになる。すなわち、テレビ−ＰＣ連携処理によって映像出力システム１は、ＰＣモードに移行する。
【００９５】
ここで、メールを受信している場合には、上記Ｓ８にてメールソフトが起動される。したがって、この場合には、ＰＣモードに設定されてＰＣ１１が出力するデータがテレビ２１の表示部３０に表示されたときには、メールソフトが既に立ち上がっている状態となる。これにより、ユーザは、ＰＣモードに切り換わってすぐに受信メールの確認を行うことができる。
【００９６】
また、詳細については後述するが、映像出力システム１では、テレビ−ＰＣ連携処理によって、テレビモードにて視聴していた番組と同じ内容を含む番組がＰＣモードにおいても表示される。これにより、ユーザは、受信メールを確認しながら、テレビモードにて視聴していた番組を引き続き視聴することが可能になる。
【００９７】
テレビ−ＰＣ連携処理の前後において表示部３０に表示される映像の遷移について図６に基づいて説明する。同図（ａ）はテレビ−ＰＣ連携処理前に表示部３０に表示される映像の一例を示す図であり、同図（ｂ）はテレビ−ＰＣ連携処理後に表示部３０に表示される映像の一例を示す図であり、同図（ｃ）はテレビ−ＰＣ連携処理の前後におけるＰＣ１１及びテレビ２１の主な動作を示す図である。なお、ここでは、ＰＣ１１がメールを受信したことによってテレビ−ＰＣ連携処理が実行された場合の映像の遷移例について説明する。
【００９８】
同図（ａ）に示すように、テレビ−ＰＣ連携処理前の表示部３０には、テレビ側チューナが出力する番組Ｂの映像が表示されている。ここで、テレビ−ＰＣ連携処理が実行された後には、同図（ｂ）に示すようにウインドウＷａ及びＷｂが表示されている。また、図示のように、ウインドウＷａにはメールソフトが起動している画面が表示されており、ウインドウＷｂには番組Ｂの映像が表示されている。これは、同図（ｃ）に示すように、ＰＣ１１がメールを受信することによって、ＰＣ側チューナが起動されると共に、メールソフトが起動されることによる。
【００９９】
すなわち、同図（ｃ）に示すように、同図（ａ）の映像が表示部３０に表示されているときには、ＰＣ１１は映像信号の出力を行っておらず、テレビ２１はテレビ側チューナが受信した番組Ｂの映像信号を出力している。
【０１００】
一方、メールの受信を受けて、ＰＣ１１ではメールソフトが起動する。これにより、メールソフトが起動している画面がテレビ２１へと出力される。また、メールの受信を受けて、ＰＣ側チューナが起動することにより、ＰＣ側チューナが受信した番組Ｂ（ワンセグ放送）がテレビ２１へと出力される。そして、同図（ｂ）の状態では、テレビ２１が、ＰＣ１１から受信した上記映像信号を出力しているので、ウインドウＷａにメールソフトが起動している画面が表示されると共に、ウインドウＷｂにＰＣ側チューナが受信した番組Ｂ（ワンセグ放送）が表示される。
【０１０１】
このように、映像表示システム１では、メール受信時に自動的にテレビ−ＰＣ連携処理が実行されて、テレビモードからＰＣモードへの切り換えが行われる。そして、ＰＣモードでは、メールソフトが起動した状態となっていると共に、表示部３０にはテレビモードで視聴していた番組と同じ番組が表示される。したがって、ユーザは、テレビモードにおいてもメールの受信を確実に認識することができると共に、テレビモードで視聴していた番組を引き続き視聴することができる。
【０１０２】
なお、図６（ａ）（ｂ）に示すように、テレビモード時とＰＣモード時とでは、同じ番組が表示されるが、表示画面の構成が異なっているので、ユーザはモードが切り換わったことを認識することができる。したがって、メールソフトを起動しなくとも、ユーザは表示画面の構成の変化からメールの受信を確認することができる。ただし、メールソフトを起動させることにより、ユーザはよりスムーズにメールの確認を行うことができるので、テレビモードからＰＣモードへの切り換え時にはメールソフトを起動させることが好ましい。
【０１０３】
テレビ−ＰＣ連携処理が終了すると、処理はＳ２に戻って映像表示システム１は再度ＰＣモードに移行する。ここで、ＰＣモードにおいてチャンネル切り換えが行われた場合に表示部３０に表示される映像の遷移について図７に基づいて説明する。同図（ａ）はチャンネル切り換え前に表示部３０に表示される映像の一例を示す図であり、同図（ｂ）はチャンネル切り換え後に表示部３０に表示される映像の一例を示す図であり、同図（ｃ）はチャンネル切り換えの前後におけるＰＣ１１及びテレビ２１の主な動作を示す図である。
【０１０４】
同図（ａ）に示すように、チャンネル切り換え前の表示部３０には、ウインドウＷａ及びＷｂが表示されており、ウインドウＷｂには番組Ｂが表示されている。この番組Ｂは、ＰＣ１１のワンセグチューナ１６で受信した番組である。
【０１０５】
そして、同図（ｂ）に示すように、チャンネル切り換え後の表示部３０には、ウインドウＷａ及びＷｂが表示されており、ウインドウＷｂには番組Ｃが表示されている。すなわち、ここでは、番組Ｃへとチャンネルが切り換えられたことを想定している。なお、ＰＣモードにおけるチャンネルの切り換えは、マウスやキーボードなどのＰＣ１１の入力装置に所定の入力操作があった場合に実行されることを想定している。
【０１０６】
このときには、同図（ｃ）に示すように、テレビ２１は、テレビ側チューナからの映像信号を出力しておらず、ＰＣ１１から受信した映像信号を出力している。そして、ＰＣ１１は、チャンネル切り換え前にはＰＣ画面及び番組Ｂの子画面の映像信号を出力しており、チャンネル切り換え後にはＰＣ画面及び番組Ｃの子画面の映像信号を出力している。これにより、同図（ａ）（ｂ）に示すような映像が表示部３０に表示されることになる。このように、ＰＣモードにおけるチャンネル切り換え時には、テレビ側チューナは関与しておらず、ＰＣ１１内の処理によって表示部３０に表示される映像が切り換わるようになっている。
【０１０７】
〔ＰＣ−テレビ連携処理〕
続いて、図２のフローチャートにおけるＰＣ−テレビ連携処理の流れについて、図８に基づいて説明する。図８は、ＰＣ−テレビ連携処理の一例を示すフローチャートである。ここでは、まずＰＣ１１側の処理の流れについて説明する。上述のように、ＰＣ−テレビ連携処理は、ＰＣ側連携制御部１４がテレビモードへの切り換え指示を確認した場合に実行される。
【０１０８】
切り換え指示を確認したＰＣ側連携制御部１４は、ＰＣ側通信Ｉ／Ｆ１５を介してテレビ２１に、テレビ２１の出力をテレビモードに切り換えさせる制御信号であるテレビモード切換信号を送信する（Ｓ１１）。また、ＰＣ側連携制御部１４は、表示出力Ｉ／Ｆ１８からの映像信号、すなわちＰＣ出力データの出力を停止させる（Ｓ１２）。
【０１０９】
次に、ＰＣ側連携制御部１４は、ＰＣ側チューナ、すなわちワンセグチューナ１６のチャンネル情報を取得し（Ｓ１３）、ＰＣ側通信Ｉ／Ｆ１５を介してテレビ２１にＰＣ側チャンネルコード（受信番組情報）を送信する（Ｓ１４）。そして、ＰＣ側連携制御部１４は、ワンセグチューナ１６に停止指示を送り、これによりワンセグチューナ１６は、放送の受信を停止する（Ｓ１５）。
【０１１０】
ここで、上記チャンネル情報及びＰＣ側チャンネルコードについて説明する。チャンネル情報とは、ワンセグチューナ１６が受信中のチャンネルを示す情報である。チャンネル情報は、補助記憶部１３に格納されており、チャンネルを切り換えるたびにチャンネル情報は更新される。これにより、補助記憶部１３には、常にワンセグチューナ１６が受信中のチャンネルを示すチャンネル情報が格納されることになる。なお、ＰＣ側連携制御部１４がチャンネル情報を読み出すことができるようになっていれば、チャンネル情報は、どこに格納されていてもよい。例えば、チャンネル情報をワンセグチューナ１６に記憶部を設け、ワンセグチューナ１６がチャンネル情報を格納及び更新するようにしてもよい。
【０１１１】
ＰＣ側チャンネルコードは、ＰＣ側チューナが受信中のチャンネルを示すコードであり、テレビ側チューナにＰＣ側チューナが受信中のチャンネルを受信させるための情報である。ここで、ＰＣ側チューナとテレビ側チューナとで、同じ番組を受信するためのチャンネルが異なっている場合がある。例えば、ワンセグ放送の番組Ａを受信するためのチャンネルと、地上デジタル放送の番組Ａを受信するチャンネルとは異なっている場合がある。
【０１１２】
このような場合には、ＰＣ側連携制御部１４は、ＰＣ側チューナのチャンネルとテレビ側チューナのチャンネルとの対応関係を示すチャンネル対応情報に基づいて、ＰＣ側チューナが受信中のチャンネルに対応するテレビ側のチャンネルを決定する。そして、ＰＣ側連携制御部１４は、上記決定したチャンネルをＰＣ側チャンネルコードとしてＰＣ側通信Ｉ／Ｆ１５を介してテレビ２１へと送信する。
【０１１３】
なお、ＰＣ側チューナが受信する放送波とテレビ側チューナが受信する放送波とは、互いに異なる。したがって、ＰＣ側チューナが受信する番組とテレビ側チューナが受信する番組とは同じ、あるいは関連した内容を含むものであればよく、完全に同じである必要はない。例えば、ワンセグ放送の番組と地上デジタル放送の番組とは互いに対応しているので、対応する番組を受信するようにすればよい。また、例えば、ユーザが、ある放送局が放送するスポーツ中継を視聴している場合に、切り換え後に出力される番組は、上記と同じスポーツ中継を放送している番組であればよく、必ずしも上記と同じ放送局が放送する番組でなくてもよい。
【０１１４】
また、上記チャンネル対応情報は、ＰＣ側連携制御部１４が参照できるようになっていればよい。例えば、補助記憶部１３にチャンネル対応情報をテーブルデータとして格納しておいてもよい。そして、チャンネル対応情報がＰＣ側チューナの受信した放送波に含まれている場合には、ＰＣ側連携制御部１４が放送波（ＰＣ側チューナが出力するデータ）からチャンネル対応情報を読み出すようにしてもよい。
【０１１５】
さらに、上記のようなチャンネル対応情報を用いずに、チャンネル情報からＰＣ側チャンネルコードを決定することもできる。例えば、ＰＣ側チューナとテレビ側チューナとで、同じ番組が同じチャンネルで受信できる場合には、ＰＣ側連携制御部１４は、チャンネル情報をそのままＰＣ側チャンネルコードとしてテレビ２１に送信すればよく、チャンネル対応情報を用いる必要はない。また、チャンネル情報がＰＣ側チューナの受信中の番組を示す番組コードや、受信中の放送局を示す放送局コードである場合にも、ＰＣ側連携制御部１４は、チャンネル情報をそのままＰＣ側チャンネルコードとしてテレビ２１に送信すればよい。
【０１１６】
次に、テレビ側の処理の流れについて説明する。ＰＣ側連携制御部１４がＰＣ側通信Ｉ／Ｆ１５を介して送信したテレビモード切換信号は、テレビ側通信Ｉ／Ｆ２２を介してテレビ側連携制御部２４に送られる。テレビ側連携制御部２４は、テレビモード切換信号を受信すると（Ｓ２１）、出力切換部２８に指示して表示部３０への出力をテレビ側チューナに設定させる（Ｓ２２）と共に、テレビ側チューナ（デジタルチューナ２６またはアナログチューナ２７）を起動させる（Ｓ２３）。
【０１１７】
ここで、ＰＣ側の処理のＳ１４にてＰＣ側通信Ｉ／Ｆ１５を介してテレビ２１へとチャンネルコード（ＰＣ側チャンネルコード）が送信される。そして、送信されたＰＣ側チャンネルコードはテレビ側通信Ｉ／Ｆ２２を介してテレビ側連携制御部２４に受信される。テレビ側連携制御部２４は、ＰＣ側チャンネルコードを受信すると（Ｓ２４）、受信したＰＣ側チャンネルコードに基づいてチャンネル設定を行う（Ｓ２５）。具体的には、テレビ側連携制御部２４は、ＰＣ側チャンネルコードが示す番組をテレビ側チューナに受信させる。
【０１１８】
これにより、テレビ側チューナが受信した番組が映像信号として出力切換部２８に送られる。ここで、出力切換部２８は、上記Ｓ２２で表示部３０への出力をテレビ側チューナに設定している。したがって、上記映像信号は、出力切換部２８を通過して画像処理制御部２９で所定の画像処理を施された後、表示部３０に出力されることになる（Ｓ２６）。
【０１１９】
なお、出力切換部２８への出力切り換え指示は、Ｓ２１以後かつＳ２６以前であればＰＣ−テレビ連携処理のどのタイミングで行ってもよい。ここで、図８のフローチャートでは、出力がテレビ２１に設定されるＳ２２から、テレビ側チューナからの映像が出力されるＳ２６までの間には、表示部３０に映像が出力されない。そこで、ＰＣ側連携制御部１４は、例えば、映像信号出力を停止するＳ１２を、ＰＣ側チューナの停止を行うＳ１５の後に行うようにすればよい。そして、テレビ側連携制御部２４は、Ｓ２６でテレビ側チューナからの映像が出力される直前に出力切換部２８への出力切り換え指示を行うようにすればよい。これにより、表示部３０に映像が出力されない時間を短縮、あるいはゼロにすることができる。
【０１２０】
〔テレビ−ＰＣ連携処理〕
続いて、図２のフローチャートにおけるテレビ−ＰＣ連携処理の流れについて、図９に基づいて説明する。図９は、テレビ−ＰＣ連携処理の一例を示すフローチャートである。ここでは、まずＰＣ側の処理の流れについて説明する。上述のように、テレビ−ＰＣ連携処理は、ＰＣ側連携制御部１４がＰＣモードへの切り換え指示を確認した場合、またはメール受信等のイベントが発生した場合に実行される。
【０１２１】
切り換え指示を確認したＰＣ側連携制御部１４は、ＰＣ側通信Ｉ／Ｆ１５を介してテレビ２１にＰＣモード切換信号を送信する（Ｓ３１）。また、ＰＣ側連携制御部１４は、ＰＣ側チューナ、すなわちワンセグチューナ１６を起動させる（Ｓ３２）。
【０１２２】
次に、ＰＣ側連携制御部１４は、ＰＣ側通信Ｉ／Ｆ１５を介してテレビ２１にチャンネル要求信号を送信する（Ｓ３３）。なお、チャンネル要求信号とは、テレビ２１で視聴中の番組のチャンネルをＰＣ１１に送信するように要求する信号である。チャンネル要求信号を送信すると、テレビ２１からテレビ側通信Ｉ／Ｆ２２及びＰＣ側通信Ｉ／Ｆ１５を介してテレビ２１で視聴中の番組のチャンネルを示すテレビ側チャンネルコード（受信番組情報）が返送される。
【０１２３】
ＰＣ側連携制御部１４は、チャンネルコード（テレビ側チャンネルコード）を受信する（Ｓ３４）と、受信したテレビ側チャンネルコードに基づいてチャンネル設定を行う（Ｓ３５）。具体的には、ＰＣ側連携制御部１４は、テレビ側チャンネルコードが示す番組をＰＣ側チューナに受信させる。これにより、ＰＣ側チューナが受信した番組は、映像信号として画像出力制御部１７に送られて所定の処理を施された後、表示出力Ｉ／Ｆ１８を介してテレビ２１へと送られる（Ｓ３６）。
【０１２４】
次に、テレビ側の処理の流れについて説明する。ＰＣ側連携制御部１４がＰＣ側通信Ｉ／Ｆ１５を介してテレビ２１に送信したＰＣモード切換信号は、テレビ側通信Ｉ／Ｆ２２を介してテレビ側連携制御部２４に受信される。テレビ側連携制御部２４は、ＰＣモード切換信号を受信すると（Ｓ４１）、出力切換部２８に指示して表示部３０への出力をＰＣ入力Ｉ／Ｆ２３に設定させる（Ｓ４２）。また、テレビ側連携制御部２４は、テレビ側チューナを停止させる（Ｓ４３）。
【０１２５】
ここで、ＰＣ側の処理のＳ３３にてＰＣ側通信Ｉ／Ｆ１５を介してテレビ２１にチャンネル要求信号が送信されるので、上記送信されたチャンネル要求信号はテレビ側通信Ｉ／Ｆ２２を介してテレビ側連携制御部２４に受信される。テレビ側連携制御部２４は、チャンネル要求信号を受信すると（Ｓ４４）、記憶部２５のチャンネルメモリからテレビ側チャンネルコードを読み出し、読み出したテレビ側チャンネルコードをテレビ側通信Ｉ／Ｆ２２を介してＰＣ１１に送信する（Ｓ４５）。
【０１２６】
なお、テレビ側チャンネルコードは、テレビ側チューナが受信中のチャンネルを示すコードであり、記憶部２５のチャンネルメモリに格納されている。ここで、上述のように、ＰＣ側チューナとテレビ側チューナとで、同じ番組を受信するためのチャンネルが異なっている場合がある。
【０１２７】
このような場合には、ＰＣ側連携制御部１４は、ＰＣ側チューナとテレビ側チューナとのチャンネルの対応関係を示すチャンネル対応情報に基づいて、受信したテレビ側チャンネルコードに対応するＰＣ側のチャンネルを決定する。
【０１２８】
なお、ＰＣ側チューナとテレビ側チューナとで同じ番組が同じチャンネルで受信できる場合や、テレビ側チャンネルコードがテレビ側チューナの受信中の番組を示す番組コードや、受信中の放送局を示す放送局コードである場合には、ＰＣ側連携制御部１４は、受信したテレビ側チャンネルコードに従ってＰＣ側チューナの受信チャンネルを決定すればよく、チャンネル対応情報を用いる必要はない。
【０１２９】
そして、上述のように、Ｓ４５で送信したテレビ側チャンネルコードに基づいてＰＣ１１のチャンネル設定が行われ（Ｓ３５）、チャンネル設定後の番組を含む映像信号が表示出力Ｉ／Ｆ１８を介してテレビ２１へと送られる（Ｓ３６）。この映像信号は、ＰＣ入力Ｉ／Ｆ２３を介して出力切換部２８に送られる。ここで、出力切換部２８は、上記Ｓ４２で表示部３０への出力をＰＣ入力Ｉ／Ｆ２３に設定している。したがって、上記映像信号は、出力切換部２８を通過して画像処理制御部２９で所定の画像処理を施された後、表示部３０に出力されることになる（Ｓ４６）。
【０１３０】
なお、上述の処理の流れは一例であり、必要に応じて適宜変更することができる。例えば、最初にチャンネル要求信号を送信（Ｓ３３）し、テレビ側チャンネルコードを受信（Ｓ３４）した後に、ＰＣ側チューナを起動（Ｓ３２）し、続いてチャンネル設定を行う（Ｓ３５）ようにしてもよい。そして、その後にＰＣモード切換信号を送信する（Ｓ３１）ことにより、テレビ２１にてＰＣモードに切り換えが行われるときには、ＰＣ側チューナにて番組の受信が開始されていることになるので、表示部３０に映像が出力されない時間を短縮、あるいはゼロにすることができる。
【０１３１】
〔参考例〕
上記実施形態では、ＰＣ側連携制御部１４の主導でＰＣ−テレビ連携処理及びテレビ−ＰＣ連携処理を行う例を示した。具体的には、ＰＣ側連携制御部１４がテレビモード切換信号、ＰＣモード切換信号、及びチャンネル要求信号等を送信することによって、上記処理が実行される態様を示した。しかしながら、ＰＣ−テレビ連携処理及びテレビ−ＰＣ連携処理は、テレビ側連携制御部２４の主導で上記処理を行うようにしてもよい。以下では、テレビ側連携制御部２４の主導で上記処理を行う例について図１０及び図１１に基づいて説明する。なお、上記実施形態と同様の処理及び構成については同一の参照符号を付してその説明を省略する。
【０１３２】
本参考例の映像表示システムは、上記実施形態と同様の構成を備えている。また、本参考例の映像表示システムにおける映像表示処理は、図２のフローチャートに示す処理の流れと同様である。そこで、以下では、上記実施形態と本参考例との相違点である、ＰＣ側連携制御部１４及びテレビ側連携制御部２４の動作、ＰＣ−テレビ連携処理及びテレビ−ＰＣ連携処理について説明する。
【０１３３】
〔ＰＣ−テレビ連携処理〕
図１０は、本参考例のＰＣ−テレビ連携処理の一例を示すフローチャートである。ここでは、まずＰＣ側の処理の流れについて説明する。なお、上記実施形態と異なり、本参考例のＰＣ−テレビ連携処理は、テレビ側連携制御部２４がテレビモードへの切り換え指示を確認した場合に実行される。
【０１３４】
テレビ側連携制御部２４は、テレビモードへの切り換え指示を確認すると、テレビモードへの切り換えを伝えるテレビモード切換信号をテレビ側通信Ｉ／Ｆ２２を介してＰＣ１１に送信する。そして、ＰＣ側連携制御部１４は、上記テレビモード切換信号をＰＣ側通信Ｉ／Ｆ１５を介して受信する（Ｓ５１）。テレビモード切換信号を受信したＰＣ側連携制御部１４は、表示出力Ｉ／Ｆ１８に指示して映像信号の出力を停止させる（Ｓ１２）。
【０１３５】
ここで、テレビ側の処理のＳ６３にてテレビ側通信Ｉ／Ｆ２２を介してチャンネル要求信号が送信される（後述）ので、上記送信されたチャンネル要求信号はＰＣ側通信Ｉ／Ｆ１５を介してＰＣ側連携制御部１４に受信される。ＰＣ側連携制御部１４は、チャンネル要求信号を受信すると（Ｓ５２）、補助記憶部１３からＰＣ側チューナのチャンネル情報を取得し（Ｓ１３）、ＰＣ側チューナで受信中の番組を示すＰＣ側チャンネルコードをＰＣ側通信Ｉ／Ｆ１５を介してテレビ２１に送信する（Ｓ１４）。そして、ＰＣ側連携制御部１４は、ＰＣ側チューナに停止指示を送り、これによりＰＣ側チューナはワンセグ放送の受信を停止する（Ｓ１５）。
【０１３６】
次に、テレビ側の処理の流れについて説明する。テレビモード切り換え指示を確認したテレビ側連携制御部２４は、テレビ側通信Ｉ／Ｆ２２を介してテレビモード切換信号を送信する（Ｓ６１）と共に、テレビ側チューナを起動させる（Ｓ２３）。また、テレビ側連携制御部２４は、出力切換部２８に指示して表示部３０への出力をテレビ側チューナに設定させる。そして、テレビ側連携制御部２４は、チャンネル要求信号をテレビ側通信Ｉ／Ｆ２２を介してＰＣ１１へと送信する（Ｓ６２）。
【０１３７】
ここで、ＰＣ側の処理のＳ１４にてＰＣ側通信Ｉ／Ｆ１５を介してＰＣ側チャンネルコードがテレビ２１へと送信される。そして、上記送信されたＰＣ側チャンネルコードはテレビ側通信Ｉ／Ｆ２２を介してテレビ側連携制御部２４に受信される。テレビ側連携制御部２４は、ＰＣ側チャンネルコードを受信すると（Ｓ２４）、受信したＰＣ側チャンネルコードに基づいてチャンネル設定を行う（Ｓ２５）。
【０１３８】
これにより、テレビ側チューナが受信した番組が映像信号として出力切換部２８に送られる。ここで、上記Ｓ６１で出力切換部２８から表示部３０への出力をテレビ側チューナに設定している。したがって、上記映像信号は、出力切換部２８を通過して画像処理制御部２９で所定の画像処理を施された後、表示部３０に出力されることになる（Ｓ２６）。
【０１３９】
〔テレビ−ＰＣ連携処理〕
図１１は、本参考例のテレビ−ＰＣ連携処理の一例を示すフローチャートである。ここでは、まずＰＣ側の処理の流れについて説明する。なお、上記実施形態と異なり、本参考例のテレビ−ＰＣ連携処理は、テレビ側連携制御部２４がＰＣモードへの切り換え指示を確認した場合に実行される。すなわち、本参考例の映像表示システムでは、テレビモードからＰＣモードへの切り換え、及びＰＣモードからテレビモードへの切り換えの有無は、何れもテレビ側連携制御部２４が判断する。
【０１４０】
テレビ側連携制御部２４は、ＰＣモードへの切り換え指示を確認すると、ＰＣモードへの切り換えを伝えるＰＣモード切換信号をテレビ側通信Ｉ／Ｆ２２を介してＰＣ１１に送信する。そして、ＰＣ側連携制御部１４は、上記テレビモード切換信号をＰＣ側通信Ｉ／Ｆ１５を介して受信する（Ｓ７１）。
【０１４１】
ＰＣモード切換信号を受信したＰＣ側連携制御部１４は、ＰＣ側チューナを起動させる（Ｓ３２）。続いて、テレビ側の処理のＳ４５（後述）にてテレビ側通信Ｉ／Ｆ２２を介してＰＣ１１へとテレビ側チャンネルコードが送信される。そして、上記送信されたテレビ側チャンネルコードはＰＣ側通信Ｉ／Ｆ１５を介してＰＣ側連携制御部１４に受信される（Ｓ３４）。
【０１４２】
ＰＣ側連携制御部１４は、テレビ側チャンネルコードを受信すると、受信したテレビ側チャンネルコードに基づいてチャンネル設定を行う（Ｓ３５）。そして、ＰＣ側チューナが受信した番組は、映像信号として画像出力制御部１７に送られて所定の処理を施された後、表示出力Ｉ／Ｆ１８を介してテレビ２１へと送られる（Ｓ３６）。
【０１４３】
次に、テレビ側の処理の流れについて説明する。テレビ側連携制御部２４は、ＰＣモードへの切り換え指示を確認すると、ＰＣモードへの切り換えを伝えるＰＣモード切換信号をテレビ側通信Ｉ／Ｆ２２を介してＰＣ１１に送信する（Ｓ８１）と共に、出力切換部２８に指示して表示部３０への出力をＰＣ入力Ｉ／Ｆ２３に設定させる。また、テレビ側連携制御部２４は、テレビ側チューナを停止させる（Ｓ４３）。
【０１４４】
そして、テレビ側連携制御部２４は、記憶部２５のチャンネルメモリからテレビ側チャンネルコードを読み出し、読み出したテレビ側チャンネルコードをテレビ側通信Ｉ／Ｆ２２を介してＰＣ１１に送信する（Ｓ４５）。
【０１４５】
これにより、ＰＣ側チューナが受信した番組を含む映像信号が表示出力Ｉ／Ｆ１８及びＰＣ入力Ｉ／Ｆ２３を介して出力切換部２８に送られる。ここで、出力切換部２８は、上記Ｓ８１で表示部３０への出力をＰＣ入力Ｉ／Ｆ２３に設定している。したがって、上記映像信号は、出力切換部２８を通過して画像処理制御部２９で所定の画像処理を施された後、表示部３０に出力されることになる（Ｓ４６）。
【０１４６】
以上のように、本参考例の映像表示システムにおいても、上記実施形態と同様に、表示部３０に表示される番組がテレビモードからＰＣモードへの切り換えが行われた場合にも、ＰＣモードからテレビモードへの切り換えが行われた場合にも変化することがない。したがって、ユーザは、テレビモードとＰＣモードとを互いに切り換えた場合であっても、切り換え前と同じ番組を中断することなく引き続き視聴することができる。
【０１４７】
〔変形例〕
上述のように、本発明の映像表示システムによれば、ＰＣ１１とテレビ２１との出力切り換え時に、ユーザが何ら操作を行うことなく、同じ番組を引き続き視聴することができる。ここで、ユーザがＰＣモードあるいはテレビモードで視聴していた番組が字幕放送等であった場合には、ＰＣ１１とテレビ２１との出力切り換え後の字幕モード及び音声モードが出力切り換え前の字幕モード及び音声モードと異なることも考えられる。
【０１４８】
例えば、ユーザがテレビモードにて日本語字幕の英語音声で番組を視聴していた場合に、ＰＣモードに切り換えを行うことにより、ＰＣ１１から英語字幕の日本語音声で同じ番組が出力されることも考えられる。このような場合には、ユーザは、出力切り換え後に字幕モードや音声モードを変更する必要があり、番組の視聴が妨げられてしまう。
【０１４９】
そこで、例えば、ＰＣ１１とテレビ２１との出力切り換え時に、ＰＣ１１またはテレビ２１にて適用していた字幕モードや音声モード等を特定するためのモード特定情報をチャンネルコードと共に送信するようにしてもよい。そして、ＰＣ１１またはテレビ２１において字幕モードや音声モード等を設定するモード設定手段が上記モード特定情報に基づいて字幕モードや音声モード等を設定するようにすればよい。これにより、ＰＣ１１とテレビ２１との出力切り換えの前後で字幕モードや音声モード等も同じにすることができる。
【０１５０】
具体的には、ＰＣ１１が受信中の番組の字幕モード及び音声モードの少なくとも一方を指定するモード切換情報をテレビ２１に送信することにより、テレビ２１が受信する番組の字幕モード及び音声モードの少なくとも一方をＰＣ１１が受信中の番組と同じにすることができる。同様に、テレビ２１が受信中の番組の字幕モード及び音声モードの少なくとも一方を指定するモード切換情報をＰＣ１１に送信することにより、テレビ２１とＰＣ１１との字幕モード及び音声モードの少なくとも一方を同じにすることができる。
【０１５１】
また、番組においてどの時間にどのようなシーンが含まれているかを示すシナリオ情報が利用できる場合には、このシナリオ情報を用いてＰＣ１１とテレビ２１との出力切り換えを行うようにしてもよい。なお、シナリオ情報のＰＣ１１及びテレビ２１への供給方法は、特に限定されない。例えば、番組と共に放送波の形態で供給するようにしてもよいし、インターネット等の他の通信ネットワークを介して供給するようにしてもよい。
【０１５２】
例えば、上記シナリオ情報を参照することにより、番組のどの時間帯にコマーシャルが挿入されているかを判別することができる。これを利用して、ＰＣ側連携制御部１４またはテレビ側連携制御部２４が、コマーシャルが放送されている時間帯にはＰＣモードに切り換えを行い、番組の本編が放送されている時間帯にはテレビモードに切り換えを行うようにしてもよい。これにより、ユーザは、番組の本編をテレビモードで集中して視聴することができ、コマーシャルはＰＣ１１の操作を行いながら視聴することができる。
【０１５３】
また、例えば、上記シナリオ情報を参照することにより、番組のどの時間帯にどのタレントが登場するかを判別したり、番組のどの時間帯にどのようなシーンが含まれているかを判別したりすることができる。これを利用して、ＰＣ側連携制御部１４またはテレビ側連携制御部２４が、ユーザが予め登録したタレントが登場する時間帯や、ユーザの嗜好を示す嗜好情報にマッチするシーンが放送される時間帯にはテレビモードに切り換えを行うようにしてもよい。これにより、ユーザは、ユーザの嗜好に応じた場面をテレビモードで集中して視聴することができる。
【０１５４】
さらに、上記実施形態では、データ供給装置としてＰＣ１１を適用した例について説明したが、データ供給装置はＰＣ１１に限られない。例えば、データ供給装置は、テレビ付きドアホンであってもよい。この場合には、インターホンが押されたことを所定のイベントとして検知して、テレビ２１の出力をドアホンに切り換えるようにすればよい。これにより、ユーザは、テレビに夢中で来客に気付かないおそれがなく、またテレビの視聴も中断されずに済む。
【０１５５】
また、データ供給装置は、監視カメラ等の撮像装置であってもよい。この場合には、例えば撮像された映像の変化を取得し、映像が変化したことを所定のイベントとして検知して、テレビ２１の出力を撮像装置に切り換えるようにすればよい。これにより、ユーザは、映像に変化がないときにはテレビを集中して視聴することができると共に、映像が変化した場合には、テレビ２１の出力モードが切り換えられるので、映像の変化を見落とすことがなくなる。
【０１５６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５７】
最後に、ＰＣ１１及びテレビ２１の各ブロック、特にＰＣ側連携制御部１４、ＰＣイベント検知部１９、及びテレビ側連携制御部２４は、ハードウェアロジックによって構成してもよいし、次のようにＣＰＵを用いてソフトウェアによって実現してもよい。
【０１５８】
すなわち、ＰＣ１１及びテレビ２１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるＰＣ１１及びテレビ２１の制御プログラムのプログラムコード（実行形式プログラム、中間コードプログラム、ソースプログラム）をコンピュータで読み取り可能に記録した記録媒体を、上記ＰＣ１１及びテレビ２１に供給し、そのコンピュータ（またはＣＰＵやＭＰＵ）が記録媒体に記録されているプログラムコードを読み出し実行することによっても、達成可能である。
【０１５９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６０】
また、ＰＣ１１及びテレビ２１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６１】
ＰＣとテレビとを含むシステムに限られず、データを出力するデータ出力装置と、該データ出力装置にデータを供給するデータ供給装置とを含むシステムであれば本発明を適用することができる。
【０１６２】
例えば、データ出力装置がテレビ放送を受信するテレビ受信装置であり、データ供給装置がラジオ放送を受信して上記テレビ受信装置のスピーカから上記受信したラジオ放送を出力させるラジオ受信機であってもよい。なお、この場合には、テレビ放送の番組とラジオ放送の番組とは同じではないので、連携処理の際には同じ内容を含む番組を受信するようにすればよい。例えば、テレビ放送で野球中継を視聴していた場合に、ラジオ出力に切り換えたときには、テレビ放送で視聴していた野球中継のラジオ放送を受信するようにすればよい。
【図面の簡単な説明】
【０１６３】
【図１】本発明の実施形態を示すものであり、映像表示システムの要部構成を示すブロック図である。
【図２】上記映像表示システムが実行する映像表示処理の一例を示すフローチャートである。
【図３】上記映像表示システムにおいて、出力モードがＰＣモードに設定されたことを示すデータの一例を示す図である。
【図４】本発明の実施形態を示すものであり、同図（ａ）はＰＣ−テレビ連携処理前に表示部に表示される映像の一例を示す図であり、同図（ｂ）はＰＣ−テレビ連携処理後に表示部に表示される映像の一例を示す図であり、同図（ｃ）はＰＣ−テレビ連携処理の前後におけるＰＣ及びテレビの主な動作を示す図である。
【図５】本発明の実施形態を示すものであり、同図（ａ）はチャンネル切り換え前に表示部に表示される映像の一例を示す図であり、同図（ｂ）はチャンネル切り換え後に表示部に表示される映像の一例を示す図であり、同図（ｃ）はチャンネル切り換えの前後におけるＰＣ及びテレビの主な動作を示す図である。
【図６】本発明の実施形態を示すものであり、同図（ａ）はテレビ−ＰＣ連携処理前に表示部に表示される映像の一例を示す図であり、同図（ｂ）はテレビ−ＰＣ連携処理後に表示部に表示される映像の一例を示す図であり、同図（ｃ）はテレビ−ＰＣ連携処理の前後におけるＰＣ及びテレビの主な動作を示す図である。
【図７】本発明の実施形態を示すものであり、同図（ａ）はチャンネル切り換え前に表示部に表示される映像の一例を示す図であり、同図（ｂ）はチャンネル切り換え後に表示部に表示される映像の一例を示す図であり、同図（ｃ）はチャンネル切り換えの前後におけるＰＣ及びテレビの主な動作を示す図である。
【図８】上記映像表示システムにおけるＰＣ−テレビ連携処理の一例を示すフローチャートである。
【図９】上記映像表示システムにおけるテレビ−ＰＣ連携処理の一例を示すフローチャートである。
【図１０】上記とは別の映像表示システムにおけるＰＣ−テレビ連携処理の一例を示すフローチャートである。
【図１１】上記とは別の映像表示システムにおけるテレビ−ＰＣ連携処理の一例を示すフローチャートである。
【図１２】従来技術を示すものであり、同図（ａ）は、テレビモードにおいて表示される映像の一例を示す図であり、同図（ｂ）は、ＰＣモードにおいてメールソフトを起動させたときに表示部１０２に表示される映像の一例を示す図であり、同図（ｃ）は、再びテレビモードに設定されたときに表示される映像の一例を示す図である。
【符号の説明】
【０１６４】
１    映像表示システム（データ表示システム）
１１    ＰＣ（データ供給装置）
１４    ＰＣ側連携制御部（連携制御手段、切換信号送信手段）
１５    ＰＣ側通信Ｉ／Ｆ（番組情報受信部）
１６    ワンセグチューナ（第２チューナ）
１８    表示出力Ｉ／Ｆ（データ送信部）
１９    ＰＣイベント検知部（イベント検知手段、メール表示制御手段）
２１    テレビ（表示装置）
【図１】
0004399488.tif 000002
【図２】
0004399488.tif 000003
【図３】
0004399488.tif 000004
【図４】
0004399488.tif 000005
【図５】
0004399488.tif 000006
【図６】
0004399488.tif 000007
【図７】
0004399488.tif 000008
【図８】
0004399488.tif 000009
【図９】
0004399488.tif 000010
【図１０】
0004399488.tif 000011
【図１１】
0004399488.tif 000012
【図１２】
0004399488.tif 000013